(57)【要約】【課題】レンズ枠を、レンズ枠を保持する保持枠の基準面に押し付ける付勢力を継続し、簡易な構造でレンズ枠と保持枠を固着するレンズ装置を提供する。【解決手段】  レンズ装置が、レンズＬ１とレンズ枠１２と光軸に垂直な基準面１３Ａでレンズ枠１２と当接してレンズ枠１２を保持する保持枠１３とレンズ枠１２を保持枠１３に固着する接着剤部Ｃとを備える。レンズ枠１２は基準面１３Ａに当接する当接面１２Ｂと、当接面１２Ｂから基準面１３Ａに向かう向きを下向きとした場合に、下向きに向かうほど径が大きくなる外周傾斜面１２Ａとを有する。接着剤部Ｃの少なくとも一部は、上向面１３Ｃの上に盛り上げられて上向面１３Ｃと上向面１３Ｃより上方に位置するレンズ枠１２の外周面との間に設けられる。【選択図】図３
2017146486.tif 000002
【特許請求の範囲】
【請求項１】
レンズと、
該レンズの外周を保持するレンズ枠と、
前記レンズの光軸に垂直な基準面で前記レンズ枠と当接して前記レンズ枠を保持する保持枠と、
前記レンズ枠を前記保持枠に固着する接着剤部とを備え、
前記レンズ枠が、前記基準面に当接する当接面と、該当接面から前記基準面に向かう向きを下向きとした場合に、下向きに向かうほど径が大きくなる外周傾斜面であって、前記光軸と垂直方向の外力である垂直方向外力を受けることにより、前記レンズ枠の位置を前記基準面に沿って移動調整させる外周傾斜面とを有し、
前記保持枠は上向きの上向面を有し、前記接着剤部の少なくとも一部が前記上向面の上に盛り上げられて該上向面と該上向面より上方に位置する前記レンズ枠の外周面との間に設けられていることを特徴とするレンズ装置。
【請求項２】
前記上向面より下側に前記外周傾斜面の下端が位置し、前記上向面の上下にわたって前記接着剤部が設けられている請求項１記載のレンズ装置。
【請求項３】
前記レンズ枠が、前記外周傾斜面の下端より下側に凹部を有し、前記接着剤部の一部が前記凹部に設けられている請求項１又は２記載のレンズ装置。
【請求項４】
前記凹部が、前記レンズ枠の全周に設けられる凹溝である請求項３記載のレンズ装置。
【請求項５】
前記保持枠が前記外周傾斜面を取り囲む筒部を有し、該筒部が接着剤充填用の接着口として設けられた開口を有し、
前記上向面が前記接着口として設けられた開口を形成する面の一部である請求項１から４のいずれか１項記載のレンズ装置。
【請求項６】
前記接着剤部が、前記レンズ枠の周方向に離間して複数設けられ、各々の前記接着剤部に対応する位置に前記接着口として設けられた開口が設けられる請求項５記載のレンズ装置。
【請求項７】
前記接着剤部が、前記レンズ枠の周方向に１２０度間隔で設けられている請求項６記載のレンズ装置。
【請求項８】
前記筒部が、前記外周傾斜面と対向する位置に前記外周傾斜面に前記垂直方向外力付与用のレンズ枠位置調整口として設けられた開口を有する請求項５から７のいずれか１項記載のレンズ装置。
【請求項９】
前記レンズ枠位置調整口として設けられた開口が、前記筒部の周方向に等間隔で複数設けられている請求項８記載のレンズ装置。
【請求項１０】
前記レンズ枠位置調整口として設けられた開口が、前記筒部の周方向に１２０度間隔で設けられている請求項９記載のレンズ装置。
【請求項１１】
前記接着剤部の上方にさらなる接着剤部を備え、
前記接着剤部の接着剤量が、前記さらなる接着剤部の接着剤量よりも多い請求項５から１０のいずれか１項記載のレンズ装置。
【請求項１２】
前記接着口として設けられた開口を形成する面の一部は下向きの下向面であり、
前記さらなる接着剤部が、前記下向面より上方においてのみ前記筒部の内周面と前記レンズ枠の外周面との間に設けられる請求項１１記載のレンズ装置。
【請求項１３】
前記上向面が、前記保持枠の上端面である請求項１から４のいずれか１項記載のレンズ装置。
【発明の詳細な説明】
【技術分野】
【０００１】
本発明はレンズ装置に係り、特にレンズ枠の位置調整及び接着のための構造に関する。
【背景技術】
【０００２】
従来、種々のカメラに用いられるレンズ装置において、レンズを保持するレンズ枠をレンズ装置本体に対して光軸と直交する方向に移動させて位置調整をした状態で、レンズ装置本体にレンズ枠を接着固定している（特許文献１）。
【０００３】
ここで、特許文献２及び３には、レンズ枠に光軸周りのテーパ面を設け、テーパ面に向かって突設された複数の支持部をテーパ面に対して前後移動することによって、レンズ枠を光軸に垂直な面に押し当てながら、光軸に垂直な面に沿って移動させてレンズ枠の位置調整を行う技術が開示されている。
【先行技術文献】
【特許文献】
【０００４】
【特許文献１】特開２００４−１５７２８６号公報
【特許文献２】特開２００７−３１００６７号公報
【特許文献３】特開平０５−４５５５０号公報
【発明の概要】
【発明が解決しようとする課題】
【０００５】
ここで、本願発明者らの鋭意検討により、特許文献２及び３に示すようなレンズ装置において、レンズ枠を光軸に垂直な面に押し当てた状態でレンズ枠とレンズ枠を保持する保持枠とを接着剤で固着する場合に、テーパ面に向かって突設する部材による付勢力が除かれたのちも、レンズ枠を光軸に垂直な面に押し付ける付勢力を継続させることが望ましいことが明らかになった。
【０００６】
本発明はこのような事情に鑑みてなされたものである。すなわち、レンズ装置において、レンズ枠を保持する保持枠がレンズ枠に光軸に垂直な基準面で当接してレンズ枠を保持し、レンズ枠が光軸周りの外周傾斜面（テーパ面）を有し、レンズ枠が外周傾斜面に外力を受けることにより、レンズ枠が光軸に垂直な面に沿って位置調整されて接着固定された場合に、簡易な構造で、レンズ枠を基準面に押し付ける付勢力を継続することができるレンズ装置を提供することを目的とする。
【課題を解決するための手段】
【０００７】
本発明に係るレンズ装置は、レンズと、レンズの外周を保持するレンズ枠と、レンズの光軸に垂直な基準面でレンズ枠と当接してレンズ枠を保持する保持枠と、レンズ枠を保持枠に固着する接着剤部とを備え、レンズ枠が、基準面に当接する当接面と、当接面から前記基準面に向かう向きを下向きとした場合に、下向きに向かうほど径が大きくなる外周傾斜面であって、光軸と垂直方向の外力である垂直方向外力を受けることにより、レンズ枠の位置を基準面に沿って移動調整させる外周傾斜面とを有し、保持枠は上向きの上向面を有し、接着剤部の少なくとも一部が上向面の上に盛り上げられて上向面と上向面より上方に位置するレンズ枠の外周面との間に設けられていることを特徴とする。
【０００８】
また、本発明に係るレンズ装置において、上向面より下側に外周傾斜面の下端が位置し、上向面の上下にわたって接着剤部が設けられている構成とすることができる。
【０００９】
また、本発明に係るレンズ装置において、レンズ枠が、外周傾斜面の下端より下側に凹部を有し、接着剤部の一部が凹部に設けられている構成とすることができる。
【００１０】
上記場合に、凹部が、レンズ枠の全周に設けられる凹溝であることが好ましい。
【００１１】
また、本発明に係るレンズ装置において、保持枠が外周傾斜面を取り囲む筒部を有し、筒部が接着剤充填用の接着口として設けられた開口を有し、上向面が接着口として設けられた開口を形成する面の一部であることが好ましい。
【００１２】
上記場合に、接着剤部が、レンズ枠の周方向に離間して複数設けられ、各々の接着剤部に対応する位置に接着口として設けられた開口が設けられることが好ましい。さらに、接着剤部が、レンズ枠の周方向に１２０度間隔で設けられていることが好ましい。
【００１３】
上記「接着剤充填用の接着口として設けられた開口」は、接着口として用いることができる開口を意味する。接着口として設けられた開口は、接着剤を充填可能な任意の形状とすることができ、例えば、筒部の外周傾斜面と対向する位置に設けられた貫通孔又は切り欠きとすることができる。
【００１４】
上記「接着剤部に対応する位置に接着口として設けられた開口が設けられる」とは、接着剤部に接着剤を充填可能な位置に接着口が位置することを意味する。なお、１つの接着剤部に対して、接着口は１つでもよく複数でもよい。
【００１５】
また、本発明に係るレンズ装置において、保持枠が外周傾斜面を取り囲む筒部を有し、筒部が接着剤充填用の接着口として設けられた開口を有する場合に、筒部が、外周傾斜面と対向する位置に垂直方向外力付与用のレンズ枠位置調整口として設けられた開口を有することが好ましい。
【００１６】
上記場合に、レンズ枠位置調整口として設けられた開口が、筒部の周方向に等間隔で複数設けられていることが好ましい。さらに、レンズ枠位置調整口として設けられた開口が、筒部の周方向に１２０度間隔で設けられていることが好ましい。
【００１７】
上記「垂直方向外力付与用のレンズ枠位置調整口として設けられた開口」は、位置調整治具等の何らかの部材を挿入して外周傾斜面に光軸と垂直方向の外力を与えることができる開口を意味する。レンズ枠位置調整口として設けられた開口は、位置調整治具等が挿入可能な任意の形状とすることができ、例えば、筒部の外周傾斜面と対向する位置に設けられた貫通孔又は切り欠きとすることができる。
【００１８】
また、本発明に係るレンズ装置において、保持枠が外周傾斜面を取り囲む筒部を有し、筒部が接着剤充填用の接着口として設けられた開口を有する場合に、接着剤部の上方にさらなる接着剤部を備え、接着剤部の接着剤量が、さらなる接着剤部の接着剤量よりも多いことが好ましい。
【００１９】
上記場合に、接着口として設けられた開口を形成する面の一部は下向きの下向面であり、さらなる接着剤部が、下向面より上方においてのみ筒部の内周面とレンズ枠の外周面との間に設けられることが好ましい。
【００２０】
上記「下向面より上方においてのみ筒部の内周面とレンズ枠の外周面との間に設けられる」とは、さらなる接着剤部が筒部及びレンズ枠と接する領域が下向面と同じ位置かそれより上方にのみ存在することを意味する。
【００２１】
また、本発明に係るレンズ装置において、上向面が保持枠の上端面である構成としてもよい。
【発明の効果】
【００２２】
本発明のレンズ装置によれば、レンズと、レンズの外周を保持するレンズ枠と、レンズの光軸に垂直な基準面でレンズ枠と当接してレンズ枠を保持する保持枠と、レンズ枠を保持枠に固着する接着剤部とを備え、レンズ枠が、基準面に当接する当接面と、当接面から前記基準面に向かう向きを下向きとした場合に、下向きに向かうほど径が大きくなる外周傾斜面であって、光軸と垂直方向の外力である垂直方向外力を受けることにより、レンズ枠の位置を基準面に沿って移動調整させる外周傾斜面とを有し、保持枠は上向きの上向面を有し、接着剤部の少なくとも一部が上向面の上に盛り上げられて上向面と上向面より上方に位置するレンズ枠の外周面との間に設けられている。
【００２３】
本発明によれば、接着剤部の少なくとも一部が保持枠に設けられた上向面の上に盛り上げられて上向面と上向面より上方に位置するレンズ枠の外周面との間に設けられているため、レンズ枠を、レンズ枠を保持する保持枠の基準面に押し付ける向きに接着剤部の応力を作用させることができ、簡易な構造で、レンズ枠を保持枠の基準面に押し付ける付勢力を継続することができる。
【図面の簡単な説明】
【００２４】
【図１】本発明の一実施形態に係るレンズ装置の断面図である。
【図２】図１の保持枠の斜視図である。
【図３】図１の部分拡大図である。
【図４】図２の保持枠の第１の変形例である。
【図５】図２の保持枠の第２の変形例である。
【図６】図２の保持枠の第３の変形例である。
【図７】図１のレンズ枠の第１の変形例である。
【図８】図１のレンズ枠の第２の変形例である。
【図９】図１のレンズ枠の第３の変形例である。
【図１０】レンズ装置の変形例である。
【発明を実施するための形態】
【００２５】
図１は、本発明の一実施形態に係るレンズ装置１の光軸を含む面で切断した断面図である。以下、本発明に係る一実施形態として、いわゆるＭＶ／ＦＡ（Machine Vision / Factory Automation）カメラである産業用のカメラのレンズ装置１に本発明を適用した例について説明する。なお、図１中、上側が物体側であり、下側が像側である。また、各図において対応する要素には同じ符号を付して、詳細な説明を省略する。
【００２６】
レンズ装置１は図１中の下端部で、不図示のマウント部材を介して、不図示のカメラ本体に装着される。カメラ本体内で、レンズ装置１に収容される光学系の結像面に不図示のＣＣＤ（Charge Coupled Device）或いはＣＭＯＳ（Complementary Metal Oxide Semiconductor）等の不図示の撮像素子が配置される。
【００２７】
図１に示すように、レンズ装置１は、第１レンズ群Ｌ１と、第１レンズ群Ｌ１の外周を保持する第１レンズ枠１２と、第１レンズ枠１２を保持する保持枠１３と、第２レンズ群Ｌ２と、第２レンズ群Ｌ２の外周を保持する第２レンズ枠１４と、鏡胴本体１１と、第１レンズ枠１２を保持枠１３に固着する接着剤部Ｃを備える。なお、ここでは、第１レンズ群Ｌ１が本発明のレンズに相当し、第１レンズ枠１２が本発明のレンズ枠に相当する。
【００２８】
レンズ装置１に取り付けられた光学系は、物体側から順に、固定レンズ群である第１レンズ群Ｌ１と固定レンズ群である第２レンズ群Ｌ２と第１レンズ群Ｌ１と第２レンズ群Ｌ２との間に配置される絞り（不図示）を備えてなる２群構成の光学系である。レンズ装置１に取り付けられる光学系は、要求される事項に応じて種々の光学系が採用可能である。例えば、光学系をリアフォーカス式又はインナーフォーカス式の固定焦点光学系として構成してもよい。この場合には、ボイスコイルモータ等で光軸方向に移動させてフォーカシングを行うための機構、位置センサ、駆動手段及び制御手段等公知の構成を備えればよい。また、光学系は、必要に応じてレンズフード又は各種フィルタ等を備える構成としてもよい。
【００２９】
鏡胴本体１１は、位置調整された第１レンズ枠１２と第２レンズ枠１４を支持する筒状部材である。第２レンズ群Ｌ２の外周を保持する第２レンズ枠１４は、鏡胴本体１１に挿入されて支持されている。第１レンズ群Ｌ１の外周を保持する第１レンズ枠１２は、保持枠１３に保持されている。第１レンズ枠１２を保持する保持枠１３は、鏡胴本体１１にネジ１５で１２０度間隔に固定されて支持されている。
【００３０】
図２は、保持枠１３の斜視図である。保持枠１３は、円筒形状であり、光軸Ｚに垂直な基準面１３Ａを内周に備える。また、保持枠１３は、第１レンズ枠１２を基準面１３Ａに当接した状態で第１レンズ枠１２の後述する外周傾斜面１２Ａを取り囲む筒部１３Ｂを有する。図１及び２に示すように、筒部１３Ｂは基準面１３Ａの半径方向外側から光軸Ｚに平行に物体側に延びる筒状部分である。また、保持枠１３の外周には、鏡胴本体１１に固定用のネジ穴１３Ｅが設けられている
【００３１】
なお、筒部１３Ｂにより取り囲まれる領域は、第１レンズ枠１２の一部が収容される領域であり、この筒部１３Ｂの内径は第１レンズ枠１２の外径よりも大きく形成されている。このため、第１レンズ枠１２の外周部と筒部１３Ｂとの間には隙間が設けられている。従って、第１レンズ枠１２は基準面１３Ａに当接した状態で、光軸Ｚと垂直な方向に移動可能である。
【００３２】
図３は図１の部分拡大図であり、第１の実施形態の接着剤部Ｃを示す図である。
【００３３】
図１及び図３に示すように、第１レンズ枠１２は、光軸Ｚに垂直な当接面１２Ｂを備え、当接面１２Ｂで保持枠１３の基準面１３Ａと当接する。また、第１レンズ枠１２は、当接面１２Ｂから基準面１３Ａに向かう向きを下向きとした場合に、下向きに向かうほど径が大きくなる外周傾斜面１２Ａであって、光軸Ｚと垂直方向の外力である垂直方向外力を受けることにより、レンズ枠の位置を前記基準面に沿って移動調整させる外周傾斜面１２Ａを有する。
【００３４】
外周傾斜面１２Ａが傾きを有するため、第１レンズ枠１２は、外周傾斜面１２Ａに位置調整治具Ｓから外力を受けることにより、第１レンズ枠１２の当接面１２Ｂが保持枠１３の基準面１３Ａに押し付けられた状態で光軸垂直方向に位置調整される。詳細には、位置調整治具Ｓから外周傾斜面１２Ａに向かって外力を受けると、外力の光軸方向の分力が、第１レンズ枠１２の当接面１２Ｂを基準面１３Ａに押し付ける向き（図３矢印Ｗで示す向き）に働き、外力の光軸垂直方向の分力が第１レンズ枠１２を光軸Ｚに向かって押す向きに働く。このため、第１レンズ枠１２は、基準面１３Ａに押し付けられた状態で、基準面１３Ａに沿って光軸垂直方向に移動することができる。
【００３５】
なお、外周傾斜面１２Ａに与えられる外力は、光軸Ｚと垂直方向に光軸に向かう成分を有し、第１レンズ枠１２の当接面１２Ｂを保持枠１３の基準面１３Ａに押し付けるものであり、第１レンズ枠１２の位置を基準面１３Ａに沿って移動調整させるものであればよい。例えば、外周傾斜面１２Ａに与えられる外力は、光軸Ｚに対して傾きを有してもよい。
【００３６】
また、光軸Ｚに平行な向きであって、当接面１２Ｂから基準面１３Ａに向かう向き（図３矢印Ｗで示す向き）を下向きとした場合に、保持枠１３は上向きの上向面１３Ｃを有する。
【００３７】
ここでは、保持枠１３は、保持枠１３に設けられた開口を形成する面の一部として上向面１３Ｃが設けられている。さらに詳細には、図１の例では、保持枠１３に接着口として設けられた開口（接着用開口Ｑ）を形成する面の上向きの部分を上向面１３Ｃとしている。接着用開口Ｑを形成する面の一部をそのまま上向面１３Ｃとして利用することで、簡易かつ好適に上向面１３Ｃと第１レンズ枠１２の外周面との間に後述の接着剤部Ｃ（図１では不図示）を設けることができる。
【００３８】
接着剤部Ｃは、第１レンズ枠１２と保持枠１３とを固着する接着剤である。接着剤部Ｃの少なくとも一部は、上向面１３Ｃの上に盛り上げられて上向面１３Ｃと上向面１３Ｃより上方に位置する第１レンズ枠１２の外周面との間に設けられている。
【００３９】
接着剤部Ｃは、第１レンズ枠１２を基準面１３Ａに押し付けながら位置調整をした状態で、第１レンズ枠１２の外周面と保持枠１３との間に接着剤を流入させて硬化させることにより形成される。また、接着剤には、硬化して収縮する過程で接着剤部Ｃ内部に応力が生じる。ここでは、接着剤部Ｃの少なくとも一部が上向面１３Ｃの上に盛り上げられて、上向面１３Ｃと上向面１３Ｃより上方に位置する第１レンズ枠１２の外周面との間に設けられている。このことにより、接着剤部Ｃが硬化して収縮する際に、上向面１３Ｃより上方に位置する第１レンズ枠１２の外周面を上向面１３Ｃに向かって引っ張る力（応力）が生じる。この接着剤部Ｃの応力を利用して、簡易な構造で好適に第１レンズ枠１２に基準面１３Ａに押し付ける付勢力を与えることができる。
【００４０】
上記作用を有する範囲であれば、接着剤部Ｃ及び上向面１３Ｃの数、大きさ、位置及び形状等を適宜異ならせてよい。例えば、接着剤部Ｃが設けられる接着口付近にのみ上向面１３Ｃを設けて、その他の位置には上向面１３Ｃを設けなくてもよい。また、第１レンズ枠１２に基準面１３Ａに押し付ける付勢力を与える作用を有する範囲であれば、接着剤部Ｃは、上向面１３Ｃの少なくとも一部において上方に盛り上げられた部分を有し、上向面１３Ｃと上向面１３Ｃより上方に位置する第１レンズ枠１２の外周面との間に設けられた部分があればよい。
【００４１】
なお、上向面１３Ｃは、第１レンズ枠１２の外周面よりも（光軸Ｚを中心として）半径方向外側に延びる上向の面であれば任意の構成としてよい。例えば、上向面１３Ｃは、光軸Ｚに対して上向面１３Ｃの法線が実質的に平行である。また、上向面１３Ｃは、平面でもよく曲面でもよく、平面及び曲面から選ばれる複数の面を組み合わせた面でもよい。
【００４２】
図４乃至図６は、図２の保持枠１３の第１乃至第３の変形例を示す図である。例えば、図２では接着用開口Ｑが貫通孔であったが、図４及び図５では、接着用開口Ｑが切り欠きで構成されており、接着用開口Ｑを形成する面のうち上向きの面の一部を上向面１３Ｃとした例である。
【００４３】
また、上向面１３Ｃが保持枠１３の上端面であってもよい。例えば、図６に示すように、筒部１３Ｂの上端面が外周傾斜面１２Ａと対応する位置に位置する構成とすることで、上向面１３Ｃを筒部１３Ｂの上端面とすることができる。この場合にも、簡易な構造で保持枠１３に上向面１３Ｃを設けることができ、簡易かつ好適に上向面１３Ｃと第１レンズ枠１２の外周面との間に接着剤部Ｃを設けることができる。なお、図４乃至６に示す変形例は、上記説明した以外の構成は図１乃至３に示す例と同様である。
【００４４】
図３に戻って説明を続ける。レンズ装置１は、接着剤部Ｃの上方にさらなる接着剤部Ｃ１を備えてもよい。この場合には、接着剤部Ｃの接着剤量が、さらなる接着剤部Ｃ１の接着剤量よりも多いことが好ましい。上方のさらなる接着剤部Ｃ１の接着剤による応力よりも、第１レンズ枠１２に下向きの付勢力を与える接着剤部Ｃの接着剤による応力を強くできるため、下向きの付勢力を確保することができる。この効果を確保するために、下方の接着剤部Ｃ（上向面１３Ｃに少なくとも一部が接着している接着剤部Ｃ）と上方の接着剤部Ｃ１の一方あるいは双方が複数設けられている場合には、下方の接着剤部Ｃの接着剤の総量が、上方の接着剤部Ｃ１の接着剤の総量よりも多くすることが望ましい。
【００４５】
なお、下方の接着剤部Ｃのみを設けた場合には、接着される面積を必要以上に大きくすることを抑えることができるためリペア性（分解性）の観点で好ましい。また、上方の接着剤部Ｃ１と下方の接着剤部Ｃとを設けた場合には、着剤だまりＣの接着剤量が、さらなる接着剤部Ｃ１の接着剤量よりも多くすることで、下向きの付勢力を維持しつつ、第１レンズ枠１２を保持枠１３により確実に固着することができる。
【００４６】
また、図３に示すように、接着用開口Ｑを形成する面の一部が下向きの下向面１３Ｄであり、さらなる接着剤部Ｃ１が、下向面１３Ｄより上方においてのみ筒部１３Ｂの内周面と第１レンズ枠１２の外周面との間に設けられることが好ましい。さらなる接着剤部Ｃ１において、接着剤が硬化して収縮する過程で生じる内部の応力に、第１レンズ枠１２の外周面を下向面１３Ｄに向かって引っ張る力が生じることを防止することができる。従って、接着剤部Ｃによる第１レンズ枠１２に基準面１３Ａに押し付ける付勢力を維持して、第１レンズ枠１２を保持枠１３により確実に固着することができる。
【００４７】
第１レンズ枠１２は、少なくとも下方の接着剤部Ｃが設けられる範囲で任意の外周形状とすることができる。図３では、上向面１３Ｃより上方に外周傾斜面１２Ａの下端１２Ｅが位置し、接着剤部Ｃの少なくとも一部は、上向面１３Ｃの上に盛り上げられて上向面１３Ｃと上向面１３Ｃより上方に位置する第１レンズ枠１２の外周面との間に設けられている。この場合には、上記のように、上向面１３Ｃ上に盛り上げられた接着剤部Ｃによる応力によって、第１レンズ枠１２を基準面１３Ａに向かって好適に付勢することができる。
【００４８】
図７乃至９は、図３の第１レンズ枠１２の第１乃至第３の変形例を示す図である。第１乃至第２の変形例は、第１レンズ枠１２の外周面の形状を図３と異ならせた例であり、他の構成は図３と同様である。第３の変形例は、第１レンズ枠１２の外周面の形状と保持枠１３の上向面１３Ｃの形状を図３と異ならせた例であり、他の構成は図３と同様である。
【００４９】
図７に示すように、上向面１３Ｃより下方に外周傾斜面１２Ａの下端１２Ｅが位置し、上向面１３Ｃの上下にわたって接着剤部Ｃが設けられるようにしてもよい。この場合には、上向面１３Ｃより下方に外周傾斜面１２Ａの下端１２Ｅが位置することで、外周傾斜面１２Ａと保持枠１３の内周面との間隙が生じる。この間隙にも接着剤を充填して接着剤部Ｃとすることにより、上向面１３Ｃと上向面１３Ｃの上方の第１レンズ枠１２の外周面との間と、上向面１３Ｃと上向面１３Ｃの下方の第１レンズ枠１２の外周面との間との両方にわたって接着剤部Ｃの一部を設けることができる。このことにより、簡易な形状で接着剤部Ｃの接着剤量を確保することができる。
【００５０】
図８に示すように、第１レンズ枠１２が、外周傾斜面１２Ａの下端１２Ｅより下側に凹部１２Ｃを有し、接着剤部Ｃの一部が凹部１２Ｃに設けられるようにしてもよい。この場合には、凹部１２Ｃと保持枠１３との間隙に接着剤を充填することができるため、接着剤部Ｃの接着剤量を確保することができる。凹部１２Ｃは、接着剤部Ｃとして利用可能な任意の形状及び個数とすることができる。また、図８の例では、凹部１２Ｃが、第１レンズ枠１２の全周に設けられる凹溝である。この場合には、簡易な構造で、好適に接着剤部Ｃの接着剤量を確保することができる。凹溝は、任意の断面形状とすることができ、例えば、図８の例では断面Ｖ型としているが、断面Ｕ型としてもよい。また、凹溝を複数備えて、接着剤部Ｃの接着剤量をさらに確保してもよい。
【００５１】
図９に示すように、第１レンズ枠１２が、外周傾斜面１２Ａの下端１２Ｅより下方に、下向きに向かって径が小さくなるさらなる傾斜面１２Ｆを有し、上向面１３Ｃの内周側の一部が、その法線ベクトルが光軸Ｚに対して傾きを有する上向面傾斜面１３Ｃａであり、上向面傾斜面１３Ｃａとさらなる傾斜面１２Ｆとの間に接着剤部Ｃの一部が設けられるようにしてもよい。この場合には、上向面傾斜面１３Ｃａとさらなる傾斜面１２Ｆとの間に接着剤を充填することができるため、接着剤部Ｃの接着剤量を確保することができる。
【００５２】
また、図２等に示す例のように、筒部１３Ｂは、外周傾斜面１２Ａに対向する位置に位置調整治具Ｓが挿入されて光軸Ｚと垂直方向の外力が与えられるレンズ枠位置調整口として設けられた開口（位置調整用開口Ｐ）を備えることが好ましい。この場合には、保持枠１３を簡易な形状としつつ、外周傾斜面１２Ａに対して位置調整用開口Ｐを介して位置調整治具Ｓを当接させて好適に位置調整を行った状態で、接着用開口Ｑを介して第１レンズ枠１２と保持枠１３との間隙に接着剤を流入することができる。また、接着用開口Ｑと位置調整用開口Ｐとは、光軸方向に対応する位置に設けられているため、位置調整した状態を好適に維持して第１レンズ枠１２と保持枠１３とを固着することができる。
【００５３】
各実施形態のレンズ装置１においては、接着剤部Ｃは、周方向に離間して複数設けられ、各々の接着剤部Ｃに対応する位置に接着用開口Ｑが設けられることが好ましい。この場合には、外周傾斜面１２Ａに向かって等間隔の方向からバランス良く付勢力が得られるように接着剤部Ｃを設けることができる。この効果を高めるために、例えば、図２等に示すように、接着剤部Ｃが、周方向に１２０度間隔で設けられていることが好ましい。また、接着剤部Ｃは２方向に固定可能に２個以上設けられることが好ましく、３個以上とすることが好ましい。
【００５４】
また、保持枠１３において、位置調整用開口Ｐが、筒部１３Ｂの周方向に等間隔で複数設けられていることが好ましい。この場合には、外周傾斜面１２Ａに向かって等間隔の方向からバランス良く力を付勢して位置調整を行うことができる。この効果を高めるために、例えば、図２に示すように、位置調整用開口Ｐが、筒部１３Ｂの周方向に１２０度間隔で設けられていることが好ましい。また、３つの位置調整用開口Ｐに、ネジで前後移動可能な調整ピンなどの軸状の位置調整治具Ｓを用いて位置調整を行う場合に、各調整ピンを外周傾斜面１２Ａに好適に突き当てることができるため安定して位置調整を行うことができる。また、位置調整用開口Ｐは２方向に位置調整可能に２個以上設けられることが好ましく、３個以上としてもよい。
【００５５】
なお、図２の保持枠１３では、保持枠１３の内周面から外周面までを貫通する貫通口として、周方向に６０度間隔に６箇所に同形状の開口が設けられている。位置調整用開口Ｐが位置調整治具Ｓなどの位置調節のための部材を挿入可能な形状であり、接着用開口Ｑが接着剤を充填可能であれば、位置調整用開口Ｐと接着用開口Ｑを任意の大きさや形状とでき、位置調整用開口Ｐと接着用開口Ｑとで大きさ又は形状を異ならせてもよい。
【００５６】
また、保持枠１３の変形例として、筒部１３Ｂが外周傾斜面１２Ａに対向する位置に周方向に幅を有する長孔Ｒを備え、長孔Ｒの周方向の異なる部分をそれぞれ接着用開口Ｑと位置調整用開口Ｐとして用いてもよい。例えば、図２の破線に示すように、長孔Ｒの周方向の一方の端部を接着用開口Ｑとして用い、長孔Ｒの周方向の他方の端部を位置調整用開口Ｐとして用いてもよい。この場合には、保持枠１３をより単純な形状とすることができる。
【００５７】
図２に示すように、保持枠１３は、本実施形態では鏡胴本体１１と別部材として構成された筒状部材である。このため、保持枠１３を簡易な構造として製造が容易である。なお、保持枠１３は、光軸Ｚに垂直な基準面１３Ａと、上向面１３Ｃとを備えるものであれば、鏡胴本体１１の別部材でなく鏡胴本体１１の一部として構成されてもよい。
【００５８】
なお、外周傾斜面１２Ａは、当接面１２Ｂから基準面１３Ａに向かう向きを下向きとした場合に、下向きに向かうほど径が大きくなる傾斜を有し、光軸Ｚと垂直方向の外力を受けることにより、第１レンズ枠１２が光軸方向に基準面１３Ａに向かって押し付けられる方向の力を発生させて第１レンズ枠１２の位置を基準面１３Ａに沿って移動調整させる方向に傾斜するものであれば、第１レンズ枠１２の移動調整が可能な範囲で任意の傾きの傾斜に構成してよい。
【００５９】
例えば、外周傾斜面１２Ａは、図１に示した例のように、基準面１３Ａに近くなるほど光軸Ｚとの距離が大きくなる傾斜を備えるようにすることができる。図１０に、レンズ装置１の変形例を示す。図１０で示す例のように、外周傾斜面１２Ａは、基準面１３Ａに近くなるほど光軸Ｚとの距離が小さくなる傾斜を備えるものであってもよい。外周傾斜面１２Ａは、図１及び図１０どちらの場合においても、当接面１２Ｂから基準面１３Ａに向かう向きに向かって径が大きくなる傾斜を有しているため、第１レンズ枠１２を基準面１３Ａに向かって押し付けつつ、基準面１３Ａに沿って移動させることができる構造となっている。
【００６０】
以下に、上記のようなレンズ装置１の組立の工程について説明する。レンズ装置１の組み立て時には、レンズ装置１は、鏡胴本体１１が軸心を鉛直方向とするように配置される。そして、鏡胴本体１１に、第２レンズ群Ｌ２の外周を保持する第２レンズ枠１４が挿入されて、鏡胴本体１１に光軸Ｚが軸心と一致するように公知の方法で軸倒れが補正され、かつ、位置調整された状態で固定される。この状態で、鏡胴本体１１に保持枠１３がネジ１５により固定される。
【００６１】
次いで、鏡胴本体１１の保持枠１３に、第１レンズ枠１２を挿入する。そして、保持枠１３の基準面１３Ａに第１レンズ枠１２の当接面１２Ｂを当接させ、ＭＴＦ（Modulation Transfer Function）測定機などを用いてその測定値や像を見ながら、図１に示すように各位置調整用開口Ｐに軸状の位置調整治具Ｓを挿入して外周傾斜面１２Ａに向かって突き当てて前後移動させることにより第１レンズ枠１２を光軸垂直方向に移動させて位置調整を行なう。
【００６２】
次に、位置調整が完了すると、各位置調整用開口Ｐから外周傾斜面１２Ａに位置調整治具Ｓを突き当てて位置調整した状態（第１レンズ枠１２の当接面１２Ｂが保持枠１３の基準面１３Ａに押し付けられた状態）で、保持枠１３の接着用開口Ｑ（図２参照）から接着剤ディスペンサＴを挿入する。そして、保持枠１３の上向面１３Ｃと、上向面１３Ｃの上方の第１レンズ枠１２の外周面とに接着剤が到達するように、接着剤ディスペンサＴから紫外線硬化樹脂である接着剤を流入する。そして、接着用開口Ｑから接着剤ディスペンサＴを離して、接着用開口Ｑから不図示の紫外光照射手段の紫外光を所定時間照射する。この結果、図３に示すように、接着剤部Ｃの少なくとも一部は、上向面１３Ｃの上に盛り上げられて上向面１３Ｃと上向面１３Ｃより上方に位置する第１レンズ枠１２の外周面との間に設けられる。また、同様の接着剤部Ｃが周方向に３箇所に設けられる。
【００６３】
上記のように、レンズ装置１によれば、保持枠１３の位置調整用開口Ｐを介して位置調整治具Ｓを外周傾斜面１２Ａに向かって付勢することにより、保持枠１３の基準面１３Ａに第１レンズ枠１２の当接面１２Ｂを押し当てながら、調整対象である第１レンズ枠１２を保持枠１３に対して好適に位置調整をすることができる。また、位置調整を行った状態で、上記のように接着剤部Ｃの少なくとも一部が上向面１３Ｃの上に盛り上げられて上向面１３Ｃと上向面１３Ｃより上方に位置する第１レンズ枠１２の外周面との間に設けられているので、位置調整治具Ｓが取り除かれた後でも、簡易な構造で、レンズ枠を、レンズ枠を保持する保持枠の基準面に押し付ける付勢力を継続することができる。
【００６４】
また、レンズ枠を、レンズ枠を保持する保持枠の基準面に押し付ける付勢力を継続できるため、レンズ装置１を振動に対する耐性を向上することができ、例えば、振動や揺れが生じやすい環境で用いられるＭＶ／ＦＡカメラである産業用のカメラに、レンズ装置１を好適に適用することができる。産業用のカメラは、撮影対象を正確に読み取れないエラーを起こしてしまうと、工場の生産効率を大幅にダウンさせてしまうことから、長時間使用してもピントズレを起こさないという要求を満足しなければならない。さらに、機械アームの先に取り付けられて使用される場合も多く、振動や揺れが生じやすい環境で用いられながらも、上記要求を満足する必要がある。本発明は常にレンズを基準位置に保持する状態を保てるため、ピントズレが起きにくく、産業用レンズの要求を満足するのに適している。
【００６５】
上記例に限定されず、レンズ装置１に備えられるどのレンズ枠とそのレンズ枠の保持枠とレンズ枠と保持枠を固着する接着剤部との組み合わせに、本発明に係るレンズ枠とレンズ枠を保持する保持枠とレンズ枠と保持枠を固着する接着剤部の構成を適用可能である。
【００６６】
例えば、物体側から順に、第１レンズ群、第２レンズ群及び第３レンズ群の３群構成の光学系の第２レンズ群など、隣接するレンズ群を備えることにより光軸方向のスペースが制限されたレンズ群を被調整対象のレンズ群として本発明を適用することが好ましい。例えば、第２レンズ群には、光軸方向に隣接して他のレンズ群が存在するため、第２レンズ群に光軸方向の付勢力を加える構造を備えるスペースが無く、レンズ枠を基準面に押しつける力が加えにくい。このような場合に、第２レンズ群を保持する第２レンズ枠と第２レンズ枠の保持枠である第２保持枠と第２レンズ枠と第２保持枠とを固着する接着剤部とに本発明を適用することにより、被調整対象のレンズ群周辺のスペースの有無にかかわらず、第２レンズ枠の外周傾斜面に垂直方向外力を与えて第２レンズ枠の位置調整を行うことができ、かつ、接着後にもレンズ枠を基準面に押し付ける外力を加えることができるようになるため、効果的である。
【００６７】
また、物体側から順に、第１レンズ群、第２レンズ群及び第３レンズ群の３群構成の光学系の第２レンズ群など、隣接するレンズ群を備えることにより光軸方向のスペースが制限されたレンズ群を被調整対象のレンズ群として本発明を適用する場合に、第２レンズ群の保持枠が外周傾斜面を取り囲む筒部を備え、筒部が接着剤充填用の接着口として設けられた開口を有し、上向面が接着口として設けられた開口を形成する面の一部であることが好ましい。この場合には、光軸方向に隣接して他のレンズ群が存在するため、第２レンズ群を固着する接着剤を流入させるスペースが光軸方向に確保できない場合であっても、筒部の接着口として設けられた開口から接着剤を好適に流入することができる。
【００６８】
本発明に係るレンズ装置は、上記実施形態に限定されず、デジタルカメラ、ビデオカメラ、監視カメラ、放送用カメラ、携帯電話用カメラ、タブレット端末用カメラ、車載カメラなど種々の任意のカメラ装置に適用可能である。また、レンズ装置に取り付けられる光学系は、変倍光学系であってもよく、固定焦点光学系であってもよく、任意の群構成としてよい。また、光学系を構成する各レンズ群を１枚以上の任意の枚数で構成してよく、各レンズに任意の材質、形状を採用可能である。
【００６９】
以上、本発明のレンズ装置について詳細に説明したが、本発明は、以上の例には限定されず、本発明の要旨を逸脱しない範囲において、各種の改良や変形を行ってもよい。
【符号の説明】
【００７０】
１     レンズ装置
１１   鏡胴本体
１２   第１レンズ枠
１２Ａ 外周傾斜面
１２Ｂ 当接面
１２Ｃ 凹部
１２Ｅ 下端
１３   保持枠
１３Ａ 基準面
１３Ｂ 筒部
１３Ｃ 上向面
１３Ｃａ      上向面傾斜面１３Ｃａ
１３Ｄ 下向面
１３Ｅ ネジ穴
１４   第２レンズ枠
１５   ネジ
Ｃ     接着剤部
Ｃ１   さらなる接着剤部
Ｌ１   第１レンズ群
Ｌ２   第２レンズ群
Ｐ     レンズ枠位置調整口として設けられた開口（位置調整用開口）
Ｑ     接着口として設けられた開口（接着用開口）
Ｒ     長孔
Ｓ     位置調整治具
Ｔ     接着剤ディスペンサ
Ｗ     矢印
Ｚ     光軸
【図１】
2017146486.tif 000003
【図２】
2017146486.tif 000004
【図３】
2017146486.tif 000005
【図４】
2017146486.tif 000006
【図５】
2017146486.tif 000007
【図６】
2017146486.tif 000008
【図７】
2017146486.tif 000009
【図８】
2017146486.tif 000010
【図９】
2017146486.tif 000011
【図１０】
2017146486.tif 000012